(57)【要約】【課題】折り畳み型の携帯端末を折り畳む際にストラップが挟み込まれにくいストラップ取付部構造及びこれを備えた携帯端末を提供する。【解決手段】キーボタン側筐体２の側面と背面との境界部近傍に、キーボタン側筐体２の側面から背面に貫通する貫通穴を通ってストラップが係止されるストラップ取付支柱部６が、液晶側筐体１とキーボタン側筐体２との合わせ面と略平行に設置され、ストラップ取付支柱部６は、キーボタン側筐体２の側面に向かって合わせ面から離れる方向に傾斜するスロープ７を備える。【選択図】図４
2010094425.tif 000002
【特許請求の範囲】
【請求項１】
二つの筐体を重ね合わせる携帯端末のいずれかの筐体の側端部に設置されるストラップ取付部構造であって、
一方の筐体の側面と背面との境界部近傍に、筐体側面から筐体背面に貫通する貫通穴を通ってストラップが係止されるストラップ取付支柱が、二つの筐体の合わせ面と略平行に設置され、
前記ストラップ取付支柱は、筐体側面に向かって前記合わせ面から離れる方向に傾斜する第１のスロープ部を備えることを特徴とするストラップ取付部構造。
【請求項２】
前記第１のスロープ部は、前記ストラップ取付支柱に前記合わせ面と略平行に形成されたストレート部から立ち上がることを特徴とする請求項１記載のストラップ取付部構造。
【請求項３】
前記ストラップ取付支柱が、筐体側面よりも凹んだ位置に設けられたことを特徴とする請求項１又は２記載のストラップ取付部構造。
【請求項４】
前記貫通穴の筐体側面の開口部近傍の筐体前面側の壁面が、筐体側面に向かって前記合わせ面から離れる方向に傾斜することを特徴とする請求項１から３のいずれか１項記載のストラップ取付部構造。
【請求項５】
前記貫通穴の筐体背面の開口部近傍の筐体中央側の壁面が、筐体背面に向かって筐体中央側に傾斜することを特徴とする請求項４記載のストラップ取付部構造。
【請求項６】
前記ストラップ取付支柱は、筐体背面に向かって筐体中央側に傾斜する第２のスロープ部を備えることを特徴とする請求項５記載のストラップ取付部構造。
【請求項７】
請求項１から６のいずれか１項記載のストラップ取付部構造を備えた携帯端末。
【発明の詳細な説明】
【技術分野】
【０００１】
本発明は、折り畳み型の携帯端末を折り畳む際にストラップが挟み込まれにくいストラップ取付部構造及びこれを備えた携帯端末に関する。
【背景技術】
【０００２】
携帯端末は、保持している最中に落としてしまうことを防止するためや、持ち運びしやすくするため、又は、ユーザの嗜好に応じてカスタマイズするために、ストラップを取り付けられるようになっている。
【０００３】
携帯端末へのストラップの取り付けに関する発明として、特許文献１に開示される「携帯用電子機器」がある。特許文献１に開示される発明は、車載ホルダ等へ固定するための固定用凹部を利用してストラップを取り付けるための梁を形成するものである。
【特許文献１】特開２００３−１９８１５１号公報（図３）
【発明の開示】
【発明が解決しようとする課題】
【０００４】
携帯端末の一形態として、折り畳み型と呼ばれるものがある。折り畳み型の携帯端末は、表示部を備えた上側筐体と、操作部を備えた下側筐体とを、表示部と操作部とが対向するように折り畳むことが可能である。
【０００５】
このような折り畳み型の携帯端末において、ストラップ取付部が、筐体の側面と背面との稜線部分に設けられていると、端末を折り畳む際に上側筐体と下側筐体との間にストラップが挟まってしまい、表示部の画面が局部的に強く圧迫されて破損してしまう可能性がある。
【０００６】
特許文献１に開示される発明のように、筐体側面の開口部において筐体側の壁面が前面側に広がる構造であると、梁に取り付けたストラップが筐体の壁面に沿って前面に導かれやすくなるため、ストラップがさらに筐体間に挟まれやすくなってしまう。
【０００７】
このように、二つの筐体を重ね合わせる携帯端末において、筐体間に挟まれやすくならないようにストラップを取り付けることのできるストラップ取付部構造は実現されていなかった。
【０００８】
本発明は係る問題に鑑みてなされたものであり、携帯端末を折り畳む際にストラップが挟み込まれにくいストラップ取付部構造及びこれを備えた携帯端末を提供することを目的とする。
【課題を解決するための手段】
【０００９】
上記目的を達成するため、本発明は、第１の態様として、二つの筐体を重ね合わせる携帯端末のいずれかの筐体の側端部に設置されるストラップ取付部構造であって、一方の筐体の側面と背面との境界部近傍に、筐体側面から筐体背面に貫通する貫通穴を通ってストラップが係止されるストラップ取付支柱が、二つの筐体の合わせ面と略平行に設置され、ストラップ取付支柱は、筐体側面に向かって合わせ面から離れる方向に傾斜する第１のスロープ部を備えることを特徴とするストラップ取付部構造を提供するものである。
【００１０】
また、上記目的を達成するため、本発明は、第２の態様として、上記本発明の第１の態様に係るストラップ取付部構造を備えた携帯端末を提供するものである。
【発明の効果】
【００１１】
本発明によれば、携帯端末を折り畳む際にストラップが挟み込まれにくいストラップ取付部構造及びこれを備えた携帯端末を提供できる。
【発明を実施するための最良の形態】
【００１２】
〔第１の実施形態〕
本発明を好適に実施した第１の実施形態について説明する。
図１、図２に、本実施形態に係る携帯端末の構成を示す。この携帯端末は、液晶５及び液晶保護スクリーン４を備えた液晶側筐体１と、リア側ケース３を備えたキーボタン側筐体２とを有する端末であり、例えば、携帯電話網を介して通信する機能を備えた携帯電話端末である。
【００１３】
図３に示すように、ストラップ取付部は、リア側ケース３の側面と背面との境界部に設けられている。ストラップ取付部には、リア側ケース３の側面と背面とを結ぶ貫通穴が形成されており、リア側ケース３の背面と側面との稜線部は、貫通穴の周縁でストラップ取付支柱６をなしている。
【００１４】
図４に、図３の二点鎖線部を拡大して示す。図示するように、ストラップ取付支柱６は、側面方向（図４の右方向）に向かって液晶側筐体１とキーボタン側筐体２との合わせ面から遠ざかるスロープ７が設けられている。
【００１５】
図５に示すように、ストラップ取付支柱６に巻き付けられたストラップは、スロープ７の斜面に沿って、液晶側筐体１とキーボタン側筐体２との合わせ面から遠ざかりやすくなる。これにより、携帯端末を折り畳む際に、液晶側筐体１とキーボタン側筐体２との間にストラップが挟まれにくくなり、液晶５が破損しにくくなる。
【００１６】
〔第２の実施形態〕
本発明を好適に実施した第２の実施形態について説明する。
図６に、本実施形態に係るストラップ取付部構造を示す。第１の実施形態とほぼ同様の構造であるが、スロープ７に隣接してストレート面９が設けられている。本実施形態に係るストラップ取付部構造も第１の実施形態と同様に折り畳み型の携帯端末に適用される。
【００１７】
外部からの異物や水分の侵入を考慮してリア側ケース３に金型構成上穴を開けないように配慮すると、スロープ７を設けることにより、図４に示したように、貫通穴のコーナー部でストラップ取付支柱６にはエッジ８が形成されてしまう。エッジ８が存在すると、ストラップの取付紐が切れやすくなる可能性がある。
【００１８】
本実施形態においては、スロープ７に隣接してストレート面９を設けているため、エッジ８の角度が大きくなる。このため、ストラップの取付紐が切れやすくはなりにくい。
【００１９】
本実施形態においてもストラップ取付支柱６に巻き付けられたストラップは、スロープ７の斜面に沿って、液晶側筐体１とキーボタン側筐体２との合わせ面から遠ざかりやすくなる。これにより、携帯端末を折り畳む際に、液晶側筐体１とキーボタン側筐体２との間にストラップが挟まれにくくなり、液晶５が破損しにくくなる。
【００２０】
〔第３の実施形態〕
本発明を好適に実施した第３の実施形態について説明する。
図７に、本実施形態に係るストラップ取付部構造を示す。第２の実施形態とほぼ同様であるが、ストラップ取付支柱６が、側面と背面との稜線よりもリア側ケース３の中央寄りに設けられている。すなわち、リア側ケース３の側面は、ストラップ取付支柱６の部分で凹んで段差１０が形成されている。本実施形態に係るストラップ取付部構造も第１の実施形態と同様に折り畳み型の携帯端末に適用される。
【００２１】
本実施形態においては、ストラップ取付支柱６に巻き付けられたストラップは、図８に示すように、段差１０によって、リア側ケース３の背面側へ導かれ、液晶側筐体１とキーボタン側筐体２との合わせ面からより遠ざかりやすくなる。これにより、携帯端末を折り畳む際に、液晶側筐体１とキーボタン側筐体２との間にストラップが挟まれにくくなり、液晶５が破損しにくくなる。
【００２２】
〔第４の実施形態〕
本発明を好適に実施した第４の実施形態について説明する。
図９に、本実施形態に係るストラップ取付部構造を示す。第３の実施形態とほぼ同様であるが、リアケース３の側面付近で貫通穴が背面に向かうようにスロープ１１が設けられている。本実施形態に係るストラップ取付部構造も第１の実施形態と同様に折り畳み型の携帯端末に適用される。
【００２３】
貫通穴全体が背面に向かうように形成されていることにより、ストラップがリア側ケース３の背面側へ導かれ、液晶側筐体１とキーボタン側筐体２との合わせ面からより遠ざかりやすくなる。これにより、携帯端末を折り畳む際に、液晶側筐体１とキーボタン側筐体２との間にストラップが挟まれにくくなり、液晶５が破損しにくくなる。
【００２４】
なお、ここでは側面付近にスロープ１１を設ける構成を例としたが、図１０に示すように、背面付近にも傾斜を設けるようにしても良い。
【００２５】
なお、上記各実施形態は、本発明の好適な実施の一例であり、本発明はこれに限定されることなく様々な変形が可能である。
【図面の簡単な説明】
【００２６】
【図１】本発明を好適に実施した第１の実施形態に係る携帯端末の構成を示す図である。
【図２】第１の実施形態に係る携帯端末の分解図である。
【図３】第１の実施形態に係る携帯端末の背面及び横断面を示す図である。
【図４】第１の実施形態に係るストラップ取付部構造の断面を示す図である。
【図５】スロープによってストラップが端末の背面側に導かれる状態を示す図である。
【図６】本発明を好適に実施した第２の実施形態に係るストラップ取付部構造の断面を示す図である。
【図７】本発明を好適に実施した第３の実施形態に係るストラップ取付部構造の断面を示す図である。
【図８】段差によってストラップが端末の背面側に導かれる状態を示す図である。
【図９】本発明を好適に実施した第４の実施形態に係るストラップ取付部構造の断面を示す図である。
【図１０】第４の実施形態に係るストラップ取付部構造の別の構成を示す図である。
【符号の説明】
【００２７】
１    液晶側筐体
２    キーボタン側筐体
３    リアケース
４    液晶保護スクリーン
５    液晶パネル
６    ストラップ取付支柱部
７、１１    スロープ
８    エッジ
９    ストレート面
１０    段差
【図１】
2010094425.tif 000003
【図２】
2010094425.tif 000004
【図３】
2010094425.tif 000005
【図４】
2010094425.tif 000006
【図５】
2010094425.tif 000007
【図６】
2010094425.tif 000008
【図７】
2010094425.tif 000009
【図８】
2010094425.tif 000010
【図９】
2010094425.tif 000011
【図１０】
2010094425.tif 000012